(57)【要約】【課題】従来、廃棄する注射針を注射器本体から取り外し、廃棄容器に回収するための注射針廃棄用具は、注射器本体と注射針を取り外すための構造部分と、注射針を回収して廃棄する容器を一体化したものであり再使用できる複雑な構造部分とともに廃棄されるため、廃棄容器として無駄である。【解決手段】廃棄器具本体内に分離した廃棄容器を配置することで、容易に入手できる安価な容器を利用でき、また、廃棄容器を廃棄器具本体内に保持して運ぶことで、直接手を触れず安全に廃棄処理できる、注射針廃棄用具を提供することを目的とする。【選択図】図１
2007125341.tif 000002
【特許請求の範囲】
【請求項１】
注射器本体から廃棄する注射針を取り外して、廃棄容器に回収するための注射針廃棄器具であって、廃棄器具本体と分離した廃棄容器を、廃棄器具本体内に配置したことを特徴とする注射針廃棄器具。
【請求項２】
廃棄器具本体の外部に設けた押圧部材と連動させた移動可能な押圧片により、廃棄器具本体内で廃棄容器を保持、および、解除できることを特徴とする特許請求項１に記載の注射針廃棄器具。
【請求項３】
廃棄器具本体の注射針分離部材と、廃棄容器の中間に、一端を廃棄容器の入り口に挿入して連接する筒型ガイドの他端と、間口が筒型ガイドより大きいガイド部材を、テーパー形状で直結したシュートを配置したことを特徴とする請求項１に記載の注射針廃棄器具。
【請求項４】
前記、廃棄容器がＰＥＴボトルから成ることを特徴とする請求項１に記載の注射針廃棄器具。
【請求項５】
前記、廃棄器具本体の底部が、前記、廃棄容器を装着および排出するための、貫通孔で開放されたことを特徴とする請求項１及び２に記載の注射針廃棄器具。
【請求項６】
前記、廃棄器具本体の外周下方を、脱着可能な受台に装着したことを特徴とする請求項１及び２に記載の注射針廃棄器具。
【発明の詳細な説明】
【技術分野】
【０００１】  本発明は、注射器本体から、廃棄する注射針の取り外しと回収、及び回収容器の廃棄を安全に処理する注射針廃棄器具に関する。
【背景技術】
【０００２】  一般に、注射器は使用済み後の注射器本体から注射針を取り外し、新規の注射針を再度装着して再使用されている。注射器本体と注射針との装着方式は、注射器本体の種類で違っているものがあり、例えば、差し込み方式や螺子、あるいはワンタッチ着脱式等、さまざまの方式があり、再装着の際、新規の注射針はカバーが被さっているため危険部位を露出しておらず、手作業の装着でも比較的安全である。しかしながら、使用後に注射器本体と注射針を取り外す手作業において、注射針にカバーは被さっておらず、前記、さまざまの方式があるため、特に慣れない取扱者は手間取り、誤って手指等を刺す危険性がある。このため、注射針を注射器本体から取り外して、そのまま、注射針に手を触れず、容器に回収する必要がある。これら解決する手段として、下記文献  の発明が提案されている。
【特許文献１】特開平８−２９９３９２号公報
【特許文献２】特開２００４−２３０１８１号公報
【発明の開示】
【発明が解決しようとする課題】
【０００３】  しかしながら、前記、文献の「特許文献１  医療用針廃棄用容器」および「特許文献２  使用済注射針抜脱構造及びそれを用いた使用済注射針廃棄処理器」の提案は、それぞれ、注射器本体と注射針を取り外すための構造部分が、注射針を回収して廃棄する容器と一体化したものを主としており構造が複雑となり高価なため、廃棄容器として無駄がある。また、前記、文献に廃棄容器を着脱自在に取り換える提案もされているが、注射器本体と注射針を取り外すための構造部分に合わせた、専用の廃棄容器を必要とされ、また、注射針を取り外す作業において、傾く、倒れ等、安全性の改良が必要とされる。【０００４】  本発明は、このような課題に鑑みてなされたものであり、注射針を取り外す作業から廃棄容器の回収までと、廃棄容器を所定の場所に運ぶまでを、注射針及び、廃棄容器に直接手を触れない安全で衛生的な作業と、さらに、簡単に入手し易い容器を廃棄容器として用い、廃棄費用の削減を目的とする注射針廃棄器具を提供することにある。
【課題を解決するための手段】
【０００５】  上記、課題を解決するために、本発明の請求項１にかかる注射針廃棄器具は、注射器本体から廃棄する注射針を取り外して、廃棄容器に回収するための注射針廃棄器具であって、廃棄器具本体と分離した廃棄容器を、廃棄器具本体内に配置したことを特徴とするものである。【０００６】  また、本発明の請求項２にかかる注射針廃棄器具は、廃棄器具本体の外部に設けた押圧部材と連動させた移動可能な押圧片により、廃棄器具本体内で廃棄容器を保持、および、解除できることを特徴とするものである。【０００７】  また、本発明の請求項３にかかる注射針廃棄器具は、廃棄器具本体の注射針分離部材と、廃棄容器の中間に、一端を廃棄容器の入り口に挿入して連接する筒型ガイドの他端と、間口が筒型ガイドより大きいガイド部材を、テーパー形状で直結したシュートを配置したことを特徴とするものである。【０００８】  また、本発明の請求項４にかかる注射針廃棄器具は、前記、廃棄容器がＰＥＴボトルから成ることを特徴とするものである。【０００９】  また、本発明の請求項５にかかる注射針廃棄器具は、前記、廃棄器具本体の底部が、前記、廃棄容器を装着および排出するための、貫通孔で開放されたことを特徴とするものである。【００１０】  また、本発明の請求項６にかかる注射針廃棄器具は、前記、廃棄器具本体の外周下方を、脱着可能な受台に装着したことを特徴とするものである。
【発明の効果】
【００１１】  本発明は、以下に記載されるような効果が得られる。請求項１にかかる注射針廃棄器具によれば、注射器本体から廃棄する注射針を取り外して、廃棄容器に回収するための注射針廃棄器具であって、廃棄器具本体と分離した廃棄容器を、廃棄器具本体内に配置したことを特徴とするもので、本発明の廃棄器具本体は、注射針を取り外す手作業の衛生や安全性に考慮した構造、且つ、長期使用に耐えられる材料で構成しても、廃棄せず繰り返し使用できるため無駄とならない。対して、注射針を回収して廃棄する廃棄容器は廃棄器具本体内に配置するため、注射針を取り外す作業に考慮した強度など不要で、専用の廃棄容器を必要とせず、一般的に入手し易い飲料用プラスチックボトルなどを再利用して廃棄容器として用いることもでき、廃棄容器の費用を削減することができる。【００１２】  本発明の請求項２にかかる注射針廃棄器具によれば、廃棄器具本体の外部に設けた押圧部材と連動させた移動可能な押圧片により、廃棄器具本体内で廃棄容器を保持、および、解除できることを特徴とするもので、廃棄器具本体内に配置され、廃棄する注射針の所定量を回収した廃棄容器を、廃棄器具本体とともに外部に設けた押圧部材を把持することで、連動した押圧片により廃棄器具本体内で保持され、保持されたまま、所定の廃棄場所に運ぶことができ、押圧を解除することで、廃棄器具本体の底部に開放された貫通孔から廃棄容器を落下させる。これにより、注射針及び、廃棄容器に直接手を触れないで安全に廃棄作業ができる。【００１３】  本発明の請求項３にかかる注射針廃棄器具によれば、廃棄器具本体の注射針分離部材と、廃棄容器の中間に、一端を廃棄容器の入り口に挿入して連接する筒型ガイドの他端と、間口が筒型ガイドより大きいガイド部材を、テーパー形状で直結したシュートを配置したことを特徴としたもので、廃棄器具本体の上部に設けた注射針の分離部材により分離された注射針は廃棄容器との中間に設けた、シュートを経由して落下、回収される構成であり、分離部材と連結するシュートの間口は注射軒を分離するための操作孔を網羅する大きさであり、間口の異なる下部の筒型ガイドとはテーパー形状で直結され、筒型ガイドが廃棄容器の入り口の中に挿入さているため、注射針を確実に廃棄容器に回収することができる。【００１４】  本発明の請求項４にかかる注射針廃棄器具によれば、廃棄容器がＰＥＴボトルから成ることを特徴としたもので、一般的に入手し易い飲料用ＰＥＴボトルなどを廃棄容器として再利用することで、省資源化と廃棄容器の費用を削減することができる。【００１５】  本発明の請求項５にかかる注射針廃棄器具によれば、廃棄器具本体の底部が、廃棄容器を装着および排出するための、貫通孔で開放されたことを特徴としたもので、請求項１ないし請求項２の注射針廃棄器具にかかわり、廃棄器具本体の底部に貫通孔を設けることで、廃棄容器を廃棄器具本体内から排出の際、直接手を触れないで安全に廃棄作業ができる。【００１６】  本発明の請求項６にかかる注射針廃棄器具によれば、廃棄器具本体の外周下方を、脱着可能な受台に装着したことを特徴としたもので、廃棄器具本体に設けた分離部材で注射器本体から注射針を取り外す作業の際、引抜き、あるいは、回転等の作用を加えるため廃棄器具本体を強固に支える必要がある。このため、廃棄器具本体を、錘を兼ねた脱着自在の受台に装着して支え、安定させることで作業の安全を確保することができる。
【発明を実施するための最良の形態】
【００１７】  以下、本発明に係わる注射針廃棄器具の実施するための最良の形態について、図面を参照して具体的に説明する。本発明の請求項１に記載する実施の形態の例は、廃棄器具本体２と分離した廃棄容器４を、廃棄器具本体２内に配置した注射針廃棄器具１であって、廃棄器具本体２と、廃棄容器４および受台５で構成され、廃棄器具本体２の外観形状は円筒形状又は、多角形の筒型形状の本体３でも良い。廃棄器具本体２の上部には注射器本体６から注射針７を取り外すための操作孔９を設けた分離部材８が廃棄器具本体２に蓋方式で被せ、または、溶着等で固着して、廃棄器具本体２の内部には注射針７を回収するための廃棄容器４の装着ができ、且つ、分離部材８に溶着や螺旋締め等で固着されたシュート１０を廃棄容器４との中間に設けるための空間が確保されている。廃棄器具本体２の底は受台５に直立に置かれた廃棄容器４を装着あるいは廃棄時に排出するための貫通孔で開放され、廃棄器具本体２の外周下部を受台５に挿入することで廃棄器具本体２を直立に固定できる。挿入後の抜け止めとして、受台５の少なくとも一箇所に設けたピン１５を相対する位置の、廃棄器具本体２の外周に設けたガイド１７に係合させる。又、分離部材８を廃棄器具本体２に蓋方式で被せた場合の抜け止めおよび、回転止として分離部材８に固着したピン１６をガイド１８に係合させる。【００１８】  分離部材８の中央部には、操作孔９と連接した周辺に本実施例では螺旋式注射針７、及び差込式注射針７ａを、各注射器本体６、６ａから取り外すための突起１１や溝１２を設けており、突起１１は螺旋式注射針７の螺旋溝を噛み合わせて回転を阻止させ、注射器本体６を回転して取り外す。また、差込式は注射器本体６ａの差込口と、注射針７ａの差込側にできる段差部を、操作孔９から溝１２に挿入後、注射器本体６ａを引き上げて差込式注射針７ａを取り外す。取り外された注射針７、７ａは落下して受け止められたシュート１０を経由して廃棄容器４に回収される。以上のように構成された本発明の注射針廃棄器具１では廃棄器具本体２内に配置された廃棄容器４は特別なものを必要とせず、本発明の請求項４に記載の、廃棄容器がＰＥＴボトルから成ることを特徴とすることで、簡単に入手できるとともに、資源の再利用で廃棄容器の費用を削減することができる。【００１９】  つぎに、本発明に係わるの請求項２に記載する実施の形態例は、廃棄器具本体２の外部に設けた押圧部材２２と連動させた移動可能な押圧片１３により、廃棄器具本体２内で廃棄容器４を保持、および、解除できることであって、廃棄される注射針７が廃棄容器４内で所定量になった等の理由で廃棄容器４を廃棄する場合、前記、受台５のピン１５で係合されている位置から廃棄器具本体２を解除できる位置に戻し、廃棄器具本体２とともに押圧部材２２を把持することで、押圧部材２２が押し込まれ連動する押圧片１３と相対する廃棄容器４を廃棄器具本体２の反対側の壁に接するまで移動して、さらに把持することで廃棄器具本体２の壁と押圧片１３で廃棄容器４を挟み保持する。押圧部材２２を把持された状態の廃棄器具本体２は受台５から抜き出され、保持された廃棄容器４とともに所定の廃棄場所に運ばれ、把持から押圧部材２２を外すとバネ１４により押圧部材２２を復帰させ、連動する押圧片１３が廃棄容器４の保持を解き、本発明の請求項５に記載の廃棄器具本体２の底部が廃棄容器４を装着および排出するための、貫通孔で開放されたことであって、貫通孔１９より排出する。以上のように構成された本発明の注射針廃棄器具１は、注射針及び、廃棄容器に直接手を触れないで安全に廃棄作業ができる。【００２０】  つぎに、本発明に係わるの請求項３に記載する実施の形態例は、間口が分離部材８の中央部に設けた操作孔９と連接した周辺部の溝１２や突起１１を網羅する大きさのガイド部材２１と、廃棄容器４の入り口の内部に挿入できる口径の筒型ガイド２０をテーパー形状で直結したシュート１０を分離部材８に溶着、あるいは、螺旋等で固着する。以上のように構成されたシュート１０を配置している本発明の注射針廃棄器具１は、注射器本体６、６ａから取り外した注射針７、７ａを確実に廃棄容器に回収することができる。【００２１】  つぎに、本発明に係わるの請求項４と請求項５に記載する実施の形態例は、前記、請求項１、及び、請求項２の実施の形態例に記載されている。【００２２】  つぎに、本発明に係わるの請求項６に記載する実施の形態例は、廃棄器具本体２の外周下部を受台５に挿入して作業中の安定した直立を確保するもので、このため、受台５は安定を保つ必要から、錘を兼ねた鉄等の重い金属が好ましく、廃棄容器４を廃棄する場合などの際は、廃棄器具本体２は着脱可能な受台５から引き出して持ち運ぶため、受台５は重くても不具合はない。以上のようの構成された本発明は注射針廃棄器具１の固定が安定し作業の安全性を向上する。【００２３】  以上、上述の本発明に係わる廃棄器具本体２及び分離部材８、押圧部材２２、押圧片１３、さらに、シュート１０を構成する材料は、金属、若しくは樹脂から成り、また本発明は上述の発明を実施するための最良の形態に限らず本発明の要旨を逸脱することなくその他種々の構成を採り得ることはもちろんである。
【図面の簡単な説明】
【００２４】
【図１】  本発明に係わる注射針廃棄器具の構成を示す断面図。
【図２】  廃棄容器が廃棄器具本体内に保持され受台から引き出した状態の断面図。
【図３】  廃棄器具本体が円筒状で構成された斜視図。
【図４】  廃棄器具本体が四角形状で構成された斜視図。
【図５】  廃棄容器に使用例のＰＥＴボトル斜視図。
【図６】  分離部材の上面図。
【図７】  差込式注射針を分離部材の溝にセットした断面図。
【図８】  螺旋式注射針を分離部材の突起にセットした断面図。
【図９】  シュートの斜視図。
【図１０】  廃棄器具本体の外部に設けた押圧部材と押圧片の構造を示す断面図。
【図１１】  廃棄器具本体の外部に設けた分離部材および受台のピンと係合するガイドを示した図面。
【符号の説明】
【００２５】１    注射針廃棄器具
２    廃棄器具本体
３    多角形筒型の廃棄器具本体
４    廃棄容器
５    受台
６    螺旋式注射器本体
６ａ  差込式注射器本体
７    螺旋式注射針
７ａ  差込式注射針
８    分離部材
９    操作孔
１０  シュート
１１  突起
１２  溝
１３  押圧片
１４  バネ
１５  ピン
１６  ピン
１７  ガイド
１８  ガイド
１９  貫通孔
２０  筒型ガイド
２１  ガイド部材
２２  押圧部材
【図１】
2007125341.tif 000003
【図２】
2007125341.tif 000004
【図３】
2007125341.tif 000005
【図４】
2007125341.tif 000006
【図５】
2007125341.tif 000007
【図６】
2007125341.tif 000008
【図７】
2007125341.tif 000009
【図８】
2007125341.tif 000010
【図９】
2007125341.tif 000011
【図１０】
2007125341.tif 000012
【図１１】
2007125341.tif 000013